(57)【要約】      （修正有）【課題】光ファイバを安全、且つ容易に配設する光受信機を提供する。【解決手段】光ファイバ収容部８は、ケース本体２の外面の内の少なくとも一つの面を光ファイバ配設面６として、この面から外方向に突出するように具備され、前記光ファイバ配設面の四方を囲うように設けられた外枠と、該外枠の内側にあって光ファイバを安全曲率の範囲内で略円形状に添付を可能とする巻枠５と、側壁４Ａ〜４Ｄに光ファイバを配設するために設けられた複数の開口部とからなる。前記開口部の内の何れかは、夫々対向する前記側壁に、光ファイバの配設方向に向かう軸線を略一致させると共に、前記光ファイバ配設面に対して、光ファイバを横断的に配設可能にする一対の開口部からなる配設手段を構成しており、しかも、前記配設手段における光ファイバの配設方向に向かう軸線が互いに直交する方向に配置されるよう少なくとも２つ備えた。【選択図】図１
0003175198.tif 000002
【実用新案登録請求の範囲】
【請求項１】
光ファイバによって伝送されてくる光信号を光中継用アダプタを介して受入れ、当該光信号を電気信号に変換して高周波出力端子を介して出力する光受信部と、前記光受信部を内部に収容するケース本体と、前記光ファイバの余長部分を収容する光ファイバ収容部と、からなる光受信機において、
前記光ファイバ収容部は、前記ケース本体の外面の内の少なくとも一つの面を光ファイバ配設面として、当該光ファイバ配設面から外方向に突出するように一体的に具備され、前記ケース本体の外形に略沿うように形成された側壁を連設することで、前記光ファイバ配設面の四方を囲うように設けられた外枠と、前記外枠の内側にあって前記光ファイバを安全曲率の範囲内で略円形状に添付を可能とする巻枠と、前記側壁に前記光ファイバを配設するために設けられた複数の開口部と、からなり、
複数の前記開口部の内の何れかは、夫々対向する前記側壁に、前記光ファイバの配設方向に向かう軸線を略一致させると共に、前記光ファイバの配設方向が前記側壁の内面と略平行に沿うように配置させることにより、前記光ファイバ配設面に対して、前記光ファイバを横断的に配設可能にする一対の開口部からなる配設手段を構成しており、
しかも、前記配設手段は、当該配設手段における前記光ファイバの配設方向に向かう軸線が互いに直交する方向に配置されるように少なくとも２つ備えられていることを特徴とした光受信機。
【請求項２】
前記側壁と前記巻枠との間に設けられ、前記側壁に形成された前記開口部の近傍に前記光ファイバ配設面から外方向に向かって一体的に突設された壁であって、前記光ファイバが前記配設手段を構成する一対の開口部の間を略直線状に配設可能とする誘導壁と、前記光ファイバが前記配設手段と前記巻枠との間を配設可能にする凹部と、からなる隔壁を備えたことを特徴とした請求項１に記載の光受信機
【考案の詳細な説明】
【技術分野】
【０００１】
本考案は、主に光伝送システムに利用される光受信機の構造に関し、詳しくは、余長の光ファイバを収容する収容部の構造に関する。
【背景技術】
【０００２】
従来、ケース本体にＯ／Ｅ（光信号／電気信号）変換部を備えている光受信部と、余長の光ファイバ収容部とを備えた光受信機が提案されている。この従来からの光受信機においては、ケース本体内部に光受信機を装着し、当該ケース本体に着脱自在に構成された前記光ファイバ収容部は、前記光受信機に重合するように載置することで前記ケース本体内に収容される構成となっている。そして、この光ファイバ収容部に光ファイバを配設する際には、当該光ファイバ収容部に備えられた光ケーブル出入口を介して光ケーブル（若しくは、光ファイバ。以下、同様）を配線していた。
（例えば、特許文献１参照）
【先行技術文献】
【特許文献】
【０００３】
【特許文献１】特開２００５−０２４７６０号公報
【考案の概要】
【考案が解決しようとする課題】
【０００４】
ところが、従来の光ファイバ収容部を備えた光受信機によると、光ファイバ収容部に光ケーブルを配設するための挿入口の位置が予め決められていることにより、前記光受信機を通常の如く壁面等の設置面に装着する場合、光ケーブルの配線方向に制限が生じるなど、光ケーブルの配線の容易性、つまりは設置工事の容易性が損なわれる点で問題があった。
【０００５】
また、光受信機の近傍まで壁面等に沿うように配線されてきた光ケーブルを当該光受信機に引き込むため、壁面に引き回された光ケーブルと前記光受信機との間に配設される光ケーブルの自由部分に対して、前記光ケーブルの曲げ半径が当該光ケーブルの安全曲率を超えないようにするには、光ケーブルが配線されている方向（例えば、光受信機の上方から光ケーブルが配線されている場合）に応じて、当該光ケーブルが破損しないよう曲率を考えながら、大きく弧を描くように撓ませるなどして配線する必要が生じ、配線に時間が掛かったり、余分な長さの光ファイバが必要となると言った問題もあった。
【０００６】
更に言えば、上述のように配線した結果、壁面に引き回された光ケーブルと前記光受信機との間に配設する光ケーブルの自由部分が長すぎてしまうことになって、作業をする際に作業道具を光ケーブルに引っ掛けたり、余分なストレスが加わったりする可能性が大きくなり、光ケーブルを破損させてしまうと言った問題も考えられた。
【０００７】
そこで本願においては、こうした問題点を解決するためになされたものであり、
その目的は、設置工事の容易な光受信機を提供することに有る。
その目的は、余長の光ケーブルの収納が容易な光ファイバ収容部を備えた光受信機を提供することに有る。
他の目的は、光ケーブルにストレスが加わったり、破損したりすることの無い光受信機を提供することにある。
【課題を解決するための手段】
【０００８】
上記課題を解決するために、請求項１の考案は、光ファイバによって伝送されてくる光信号を光中継用アダプタを介して受入れ、当該光信号を電気信号に変換して高周波出力端子を介して出力する光受信部と、前記光受信部を内部に収容する合成樹脂材からなるケース本体と、前記光ファイバの余長部分を収容する光ファイバ収容部と、からなる光受信機において、前記光ファイバ収容部は、前記ケース本体の外面の内の少なくとも一つの面を光ファイバ配設面として、当該光ファイバ配設面から外方向に突出するように一体的に具備され、前記ケース本体の外形に略沿うように形成された側壁を連設することで、前記光ファイバ配設面の四方を囲うように設けられた外枠と、前記外枠の内側にあって前記光ファイバを安全曲率の範囲内で略円形状に添付を可能とする巻枠と、前記側壁に前記光ファイバを配設するために設けられた複数の開口部と、からなり、複数の前記開口部の内の何れかは、夫々対向する前記側壁に、前記光ファイバの配設方向に向かう軸線を略一致させると共に、前記光ファイバの配設方向が前記側壁の内面と略平行に沿うように配置させることにより、前記光ファイバ配設面に対して、前記光ファイバを横断的に配設可能にする一対の開口部からなる配設手段を構成しており、しかも、前記配設手段は、当該配設手段における前記光ファイバの配設方向に向かう軸線が互いに直交する方向に配置されるように少なくとも２つ備えるように構成されている。
【０００９】
請求項２の考案は、請求項１に記載の光受信機において、前記側壁と前記巻枠との間に設けられ、前記側壁に形成された前記開口部の近傍に前記光ファイバ配設面から外方向に向かって一体的に突設された壁であって、前記光ファイバが前記配設手段を構成する一対の開口部の間を略直線状に配設可能とする誘導壁と、前記光ファイバが前記配設手段と前記巻枠との間を配設可能にする凹部と、からなる隔壁を備えように構成されている。
【考案の効果】
【００１０】
請求項１の考案によれば、前記光ファイバ収容部の収容部を構成する前記外枠には、前記光ファイバを前記外枠内に形成される収容部に向けて（若しくは収容部から外部に向けて）配設するために設けられた複数の開口部を備え、また、その複数の開口部の内のいくつかは、前記光ファイバ配設面に対して、前記光ファイバを横断的に配設可能にする一対の開口部からなる配設手段を構成し、しかも、前記配設手段は、当該配設手段における前記光ファイバの配設方向に向かう軸線が互いに直交する方向に配置されるように少なくとも２つ備えられていることによって、光受信機から四方の何れかに向けて（若しくは光受信機に対して四方の何れかから）光ファイバを引き出す（引き入れる）ことができ、光ファイバを引き回す方向を問わないので、設置工事が容易に行えるばかりでなく、すっきりとした配線ができるようになる。
【００１１】
請求項２の考案によれば、請求項１の考案において、前記開口部の近傍には、前記側壁と前記巻枠との間に設けられ、前記側壁に形成された前記光ファイバ配設面から外方向に向かって一体的に突設された壁であって、前記光ファイバが前記配設手段を構成する一対の開口部の間を略直線状に配設可能とする誘導壁と、前記光ファイバが前記配設手段と前記巻枠との間を配設可能にする凹部と、からなる隔壁を備えたことによって、光ファイバの配設における、それぞれの状況に応じた配設が容易に行うことができる。
【図面の簡単な説明】
【００１２】
【図１】本考案の光受信機を説明するための概略図であり、（ａ）は正面図、（ｂ）は左側面図、（ｃ）は右側面図、（ｄ）は背面図、（ｅ）は下面図である。
【図２】本考案の光受信機を構成するケース本体を説明するための概略図であり、（ａ）はケース本体から蓋体を外した状態を示す正面図、（ｂ）はケース本体から蓋体を外した状態を示す下面図である。
【図３】ケース本体から蓋体を外した状態の要部を拡大した斜視図である。
【図４】本考案の光受信機に光ファイバを配設した状態を説明するための斜視図であり、（ａ）は光中継用アダプタと光コネクタとの接続部分を示す拡大図、（ｂ）は光ファイバ収容部を示す拡大図。
【図５】本考案の光受信機を構成する光ファイバ収容部に光ファイバを巻き付けた状態を説明するための図であり、（ａ）は光受信機の下方から光ファイバ収容部に光ファイバを引き入れた状態、（ｂ）は光受信機の側方から光ファイバ収容部に光ファイバを引き入れた状態を示す。
【考案を実施するための形態】
【実施例１】
【００１３】
以下に本考案に係る光受信機の一実施形態について図１から図３を基に説明する。
図１は本考案が適用された光受信機の概略構成を説明するための略図であり、（ａ）は正面図、（ｂ）は左側面図、（ｃ）は右側面図、（ｄ）は背面図、（ｅ）は下面図である。図２は本考案の実施形態に係る光受信機１のケース本体２を説明するための概略図であり、（ａ）はケース本体２から蓋体３を外した状態を示す正面図、（ｂ）はケース本体２から蓋体３を外した状態を示す下面図である。図３は本考案の実施形態に係る光受信機のケース本体から蓋体を外した状態の要部を拡大した斜視図である。尚、以下の説明で方向を表す場合は、特に明示しない限り図１（ａ）の状態を基にし、図１（ａ）の状態における光受信機の手前側が正面若しくは前面であり、図の奥行き方向が背面若しくは後面である。左右方向及び上下方向は図１（ａ）の図面の方向の通りである。
【００１４】
本考案に係る光受信機１は、光ファイバ３３（図４参照）によって伝送されてくる光信号を光中継用アダプタ３１を介して受入れ、当該光信号を電気信号に変換して高周波出力端子５１を介して出力する光受信部３０と、前記光受信部３０を内部に収容する合成樹脂材からなるケース本体２と、前記光ファイバ３３の余長部分を収容する光ファイバ収容部８と、からなる。
【００１５】
前記ケース本体１は、前記光受信部３０を収納するように一方を開口した箱状の収納部２Ａと、前記光受信部３０が収納された前記収納ケース２Ａの開口面を閉塞するカバー部２Ｂと、からなる。
【００１６】
本考案の実施形態に係る前記収納部２Ａには、前記光受信部３０を収納する空間の底面とは反対側（言い換えれば、前記収納部２Ａの背面）に位置する外面に、図１（ｄ）に示されているような、当該外面を前記光ファイバ３３を配設するための光ファイバ配設面６とする前記光ファイバ収容部８が形成されている。
【００１７】
本考案の実施形態に係る前記光ファイバ収容部８は、当該光ファイバ配設面６から外方向に突出するように一体的に具備され、前記ケース本体１の外形に略沿うように形成された側壁４Ａ、４Ｂ、４Ｃ、４Ｄを連設することで、前記光ファイバ配設面６の四方を囲うように設けられ、内部に光ファイバ収容部８の収容部を形成する外枠４と、前記外枠４の内側にあって前記光ファイバ３３を安全曲率の範囲内で略円形状に添付を可能とする巻枠５（本考案の実施形態では４つの巻枠壁５ａ、５ａ、５ａ、５ａから構成されている例が示されている）と、前記側壁４Ａ、４Ｂ、４Ｃ、４Ｄの夫々に、前記光ファイバ３３を被からケース本体２の外側から収容部に向けて配設するために設けられた複数の開口部１０Ａ、１０Ｂ、１０Ｃ、１０Ｄと、からなる。
【００１８】
複数の前記開口部１０Ａ、１０Ｂ、１０Ｃ、１０Ｄの内の何れかは、夫々対向する前記側壁（本考案の実施形態では４Ａ−４Ｃ、４Ｂ−４Ｄ）に、前記光ファイバ３３の配設方向に向かう軸線を略一致させると共に、前記光ファイバ３３の配設方向が前記側壁の内面と略平行に沿うように配置させることにより、前記光ファイバ配設面６に対して、前記光ファイバ３３を横断的に配設可能にする一対の開口部（１０Ａ−１０Ａ、１０Ｂ−１０Ｂ、１０Ｃ−１０Ｃ）からなる配設手段を構成しており、しかも、前記配設手段は、当該配設手段における前記光ファイバ３３の配設方向に向かう軸線が互いに直交する方向に配置されるように少なくとも２つ備えられている（本考案の実施形態では３つ備えた例が示されている。）
【００１９】
加えて、本考案の実施形態に係る前記光ファイバ収容部８には、前記側壁４Ａ、４Ｂ、４Ｃ、４Ｄと前記巻枠５との間に設けられ、前記側壁４Ａ、４Ｂ、４Ｃ、４Ｄに形成された前記開口部１０Ａ、１０Ｂ、１０Ｃ、１０Ｄの近傍に、前記光ファイバ配設面６から外方向に向かって一体的に突設された壁であって、前記光ファイバが前記配設手段を構成する一対の開口部（１０Ａ−１０Ａ、１０Ｂ−１０Ｂ、１０Ｃ−１０Ｃ）の間を略直線状に配設可能とする誘導壁９ｂと、前記光ファイバ３３が前記配設手段と前記巻枠５との間を配設可能にする凹部９ａと、からなる隔壁９（本考案の実施形態では４つ備えた例が示されている。）を備えられている。
【００２０】
本考案の実施形態では、前記光ファイバ収容部８をケース本体２の背面に備える例を示したが、前記ケース本体２の外面の内の少なくとも一つの面を光ファイバ配設面６として光ファイバ収容部８を備えればよく、本考案の実施形態に限定されることは無い。
【００２１】
次に、本考案の実施形態に係るケース本体２について図２及び図３を基に更に詳しく説明する。本考案の実施形態に係るケース本体２は、前記光ファイバ配設面６と対向する側の外面である対向面１６に、少なくとも当該対向面６の一部を外側に向かって開口するように形成された階段状の収容空間１５と、当該収容空間１５の開口部を着脱自在に閉塞可能に形成された蓋体３と、を備えるように形成されている。
【００２２】
更に、前記収容空間１５における内壁の内、前記光ファイバ配設面６に対して直交する方向となるように設けられた周壁の何れか一つ（本考案の実施形態では、前記収納部２Ａによって形成される周壁２ａと、カバー部２Ｂによって形成される周壁２ｂと、からなる）には、前記周壁２ａ、２ｂの外側から前記光受信部３０に光信号を供給することができるよう、前記光中継用アダプタ３１の一部を露出させた端子部１８を設けたことによって、当該端子部１８において前記光ファイバ３３の末端に設けられた光コネクタ３２（図４参照）を、前記光中継用アダプタ３１に対して着脱自在に接続可能に構成されている。
【００２３】
また、前記収容空間１５には、前記収容空間１５における内壁の内、前記光ファイバ配設面６と前記対向面１６との中間に位置するように設けられた内壁であって、前記収容部２Ａと一体的に形成された段部１１が備えられており、前記収容空間１５は、少なくとも前記光ファイバ配設面６に対して直交する２つの周壁（２ａ、２ｂを含む）と前記段部１１とで、前記端子部１８を除いて前記ケース本体２内部と隔離されている。
【００２４】
そして、前記蓋体３で前記収容空間１５を閉塞すれば、前記光中継用アダプタ３１に接続された少なくとも前記光コネクタ３２と当該光コネクタ３２から引き出されている前記光ファイバ３３の一部は、前記収容空間１５内に収容されるよう構成されている。尚、本考案の実施形態に係る蓋体３には、図１（ｅ）において３ａで示された開口部が形成されており、当該開口部３ａから光ケーブル３３が引き出し可能に構成されている。
【００２５】
次に、前記光ファイバ収容部８及び前記収容空間１５の構造について詳しく説明する。
前記ケース本体に形成された前記収容空間１５には、当該収容空間１５における内壁の内、前記光ファイバ配設面６と前記対向面１６との中間に位置するように設けられた前記段部１１から外方向に突出するように設けられ、前記光ファイバ３３を安全曲率の範囲内で添付を可能とする添付壁１２が形成されている。
【００２６】
図３によく示されるように、この添付壁１２の光ファイバ３３を添付する側の表面（図の手前側）は、前記段部１１に直交する方向の軸線を中心軸とする曲面を構成する下部添付壁１２ｂと、前記中心軸上に中心点を有した球面の一部を構成する上部添付壁１２ａと、からなり、それぞれ前記光ファイバ３３を安全曲率の範囲内で添付を可能とする曲面状に形成されており、
【００２７】
加えて、前記段部１１から、当該段部１１とは反対側に位置する前記光ファイバ配設面６に掛けて形成された溝状の通路であって、前記添付壁１２に対して配設された前記光ファイバ３３を安全曲率の範囲内で添付を可能とすると共に、当該光ファイバ３３を前記光ファイバ収容部８が形成された前記光ファイバ配設面６側に誘導する配設路１３が形成されている。
【００２８】
この配設路１３の光ファイバ３３を配設する側の内面は、前記下部添付壁１２ｂと連通するように設けられた内周壁１３ｂと、前記収納空間１５から前記光ファイバ配設面６に至るまでの範囲で設けられた底壁１３ａと、からなり、それぞれ前記光ファイバを安全曲率の範囲内で添付を可能とする曲面状に形成されている。
【００２９】
更に、前記側壁４Ｃに形成された前記開口部１０Ｄと連通するように設けられた切り欠きであって、前記段部１１に直交する方向に位置し、当該段部１１と連通する前記ケース本体２（詳しくは、収納部２Ａ）の外面２ｃから、前記配設路１３に至るまでの範囲に連設された切欠部７が形成されている。この切欠部７の存在によって、前記ケース本体２の外面２ｃの外側から前記配設路１３に対して前記光ファイバを挿抜自在に配設可能とする。
【００３０】
このように構成された光受信機１に対して、前記光ファイバ３３を配設する手順について図４を用いて説明する。図４は本考案の光受信機１に光ファイバ３３を配設した状態を説明するための斜視図であり、（ａ）は光中継用アダプタ３１と光コネクタ３２との接続部分を示す拡大図、（ｂ）は光ファイバ収容部８を示す拡大図である。図４に示されているように、前記光ファイバ３３の末端に設けられた光コネクタ３２を、前記収納空間１５における端子部１８から露出させてある、前記光受信部３０に具備された前記光中継用アダプタ３１に装着することから始める。装着が完了したなら、前記光コネクタ３２から引き出されている光ファイバ３３を前記ケース本体２（詳しくは、前記外面２ｃ）の外側から前記切欠部７を介して図４（ａ）の矢印方向に挿通すれば、前記光ファイバ３３は、前記配設路１３から、前記収納空間１５と当該収納空間１５とは反対側に位置する前記光ファイバ収容部８側（図４（ａ）のＡ点から図４（ｂ）のＢ点）に配設されることになる。
【００３１】
ここで、前記光ファイバ収容部８側に配設された余長の前記光ファイバ３３を、当該光ファイバ収容部に設けられた巻枠５に巻き付けるに当たり、前記光コネクタ３２と光ファイバ収容部８との間の光ケーブル３３が緩んだ状態とならないよう、光ファイバ３３を引っ張ったとしても、当該光ファイバ３３は、前記収容空間１５に形成された前記添付壁１２と、前記配設路１３を構成する前記内周壁１３ｂ及び底壁１３ａに添付されるので、前記光ファイバ３３は安全曲率の範囲内で配設される。
【００３２】
即ち、本考案の実施形態に係る光受信機１によれば、前記収容空間１５（詳しくは、光コネクタ３１と光受信部３０の光中継用コネクタ３１の接続部分である端子部１８）と、余長の光ファイバ３３を収容する前記光ファイバ収容部８とが同一面上にならないように構成されているので、光受信機１を小型化できる。また、端子部１８と前記光ファイバ収容部８との位置関係が前記収容空間１５の段部１１を介して反対側に位置するように構成されていても、前記切欠部７の存在によって、光ファイバ３３を前記収容空間１５と前記光ファイバ収容部８との間に容易に配設することができるから、光受信機１の設置工事をより簡単なものにすることができる。しかも、光ファイバ３３を前記収容空間１５と前記光ファイバ収容部８との間に配設する際は、前記光ファイバを安全曲率の範囲内で添付を可能とする前記添付壁１２と前記配設路１３の存在によって、光ファイバの最小曲げ半径を気にすることなく配設作業を行なうことができるので、設置工事の工数を低減するばかりでなく、工事の信頼性を向上させることができる。更に言えば、前記光コネクタ３２と当該光コネクタ３２から引き出された光ファイバ３３を前記収容空間１５内に収納して、前記光受信機１の外形より外側にはみ出さない構成すると共に、当該収納空間１５を蓋体３で持って閉塞するように構成したことによって、設置工事をする際に作業道具を光コネクタ３２や光ファイバ３３に引っ掛けたり、余分なストレスが加わったりする可能性を無くすことができ、この点でも設置工事を容易、且つ安全に行うことができる。
【００３３】
次に、前記光ファイバ収容部８側に配設された前記光ファイバ３３の処理手順について図４（ｂ）及び図５を用いて説明する。図５は本考案の光受信機１の光ファイバ収容部８に光ファイバ３３を巻き付けた状態を説明するための図であり、（ａ）は光受信機１の下方から光ファイバ収容部８に光ファイバ３３を引き入れた状態、（ｂ）は光受信機１の側方から光ファイバ収容部８に光ファイバ３３を引き入れた状態を示す。
【００３４】
本考案の実施形態に係る光受信機１によれば、前記光ファイバ収容部８の収容部を構成する前記外枠４には、前記光ファイバ３３を収容部に向けて（若しくは収容部から外部に向けて）配設するために設けられた複数の開口部１０Ａ、１０Ｂ、１０Ｃ、１０Ｄを備え、また、その複数の開口部の内のいくつかは、前記光ファイバ配設面６に対して、前記光ファイバ３３を横断的に配設可能にする一対の開口部（１０Ａ−１０Ａ、１０Ｂ−１０Ｂ、１０Ｃ−１０Ｃ）からなる配設手段を構成し、しかも、前記配設手段は、当該配設手段における前記光ファイバ３３の配設方向に向かう軸線が互いに直交する方向に配置されるように少なくとも２つ備えられている（本考案の実施形態では３つ供えた例が示されている）ことによって、光受信機１から四方の何れかに向けて（若しくは光受信機１に対して四方の何れかから）光ファイバ３３を引き出す（引き入れる）ことができ、光ファイバ３３を引き回す方向を問わないので、設置工事が容易に行えるばかりでなく、すっきりとした配線ができるようになる。
【００３５】
また、前記開口部１０Ａ、１０Ｂ、１０Ｃ、１０Ｄの近傍には、前記側壁４Ａ、４Ｂ、４Ｃ、４Ｄと前記巻枠５（詳しくは５ａ）との間に設けられ、前記側壁４Ａ、４Ｂ、４Ｃ、４Ｄに形成された前記光ファイバ配設面６から外方向に向かって一体的に突設された壁であって、前記光ファイバが前記配設手段を構成する一対の開口部（１０Ａ−１０Ａ、１０Ｂ−１０Ｂ、１０Ｃ−１０Ｃ）の間を略直線状に配設可能とする誘導壁９ａと、前記光ファイバ３３が前記配設手段と前記巻枠５との間を配設可能にする凹部９ｂと、からなる隔壁９を備えたことによって、光ファイバ３３の配設における、それぞれの状況に応じた配設が容易に行うことができる。
【００３６】
尚、本考案は、以下に例示するように本考案の趣旨を逸脱しない範囲で各部の構成を適宜に変更して実施することも可能である。本考案に係る光受信機１を壁面に取り付けて使用することを考えると、前記光ファイバ収容部８は光受信機１の背面側（即ち、取り付け面側）、前記収容空間１５は光受信機８の前面側に設けることが望ましい。
【符号の説明】
【００３７】
１…光受信機、２…ケース本体、２Ａ…収納部、２Ｂ…カバー部、２ａ・２ｂ…周壁、２ｃ…外面、３…蓋体、３ａ…開口部、４…外枠、４Ａ・４Ｂ・４Ｃ・４Ｄ…側壁、５…巻枠、５ａ…巻枠壁、６…光ファイバ配設面、７…切欠部、８…光ファイバ収容部、９…隔壁、９ａ…誘導壁、９ｂ…凹部、１０Ａ・１０Ｂ・１０Ｃ・１０Ｄ…開口部、１１…段部、１２…添付壁、１２ａ…上部添付壁、１２ｂ…下部添付壁、１３…配設路、１３ａ…底壁、１３ｂ…内周壁、１５…収容空間、１６…対向面、１８…端子部、３０…光受信部、３１…光中継用アダプタ、３２…光コネクタ、３３…光ケーブル、５１…高周波出力端子、５２…電源コード
【図１】
0003175198.tif 000003
【図２】
0003175198.tif 000004
【図３】
0003175198.tif 000005
【図４】
0003175198.tif 000006
【図５】
0003175198.tif 000007